(57)【要約】【課題】開閉器遠隔制御装置に搭載される子局ユニットと制御ユニットそれぞれの障害検出を行う。【解決手段】配電線に設けられた開閉器を親局から遠隔的に監視制御する際に当該親局との間で通信を行う子局ユニットと、前記親局から前記子局ユニットを介した前記開閉器の入切指令を受けて前記開閉器の開閉操作を行う制御ユニットと、を備えた開閉器遠隔制御装置を試験する際に、前記子局ユニットと前記制御ユニットの接続を切り離した上で、前記子局ユニットと前記制御ユニットとの間に接続させる開閉器遠隔制御装置の試験器であって、前記開閉器を前記親局から遠隔的に監視制御する際に前記子局ユニットから前記制御ユニットに向けて出力される第１の出力信号を取り込み、当該第１の出力信号の状態を表示する第１の表示部と、前記開閉器を前記親局から遠隔的に監視制御する際に前記制御ユニットから前記子局ユニットに向けて出力される第２の出力信号を取り込み、当該第２の出力信号の状態を表示する第２の表示部と、を備える開閉器遠隔制御装置の試験器。【選択図】図３
2009141621.tif 000002
【特許請求の範囲】
【請求項１】
配電線に設けられた開閉器を親局から遠隔的に監視制御する際に当該親局との間で通信を行う子局ユニットと、前記親局から前記子局ユニットを介した前記開閉器の入切指令を受けて前記開閉器の開閉操作を行う制御ユニットと、を備えた開閉器遠隔制御装置を試験する際に、前記子局ユニットと前記制御ユニットの接続を切り離した上で、前記子局ユニットと前記制御ユニットとの間に接続させる開閉器遠隔制御装置の試験器であって、
前記開閉器を前記親局から遠隔的に監視制御する際に前記子局ユニットから前記制御ユニットに向けて出力される第１の出力信号を取り込み、当該第１の出力信号の状態を表示する第１の表示部と、
前記開閉器を前記親局から遠隔的に監視制御する際に前記制御ユニットから前記子局ユニットに向けて出力される第２の出力信号を取り込み、当該第２の出力信号の状態を表示する第２の表示部と、
を備えることを特徴とする開閉器遠隔制御装置の試験器。
【請求項２】
請求項１に記載の開閉器遠隔制御装置の試験器において、
前記第１の表示部は、前記親局から前記子局ユニットを介した前記制御ユニットに向けた前記開閉器の投入指令を前記第１の出力信号として取り込み、前記投入指令の状態を表示すること、
を特徴とする開閉器遠隔制御装置の試験器。
【請求項３】
請求項１に記載の開閉器遠隔制御装置の試験器において、
前記第１の表示部は、前記親局から前記子局ユニットを介した前記制御ユニットに向けた前記開閉器の入指令又は切指令を前記第１の出力信号として取り込み、前記入指令又は前記切指令の状態を表示すること、
を特徴とする開閉器遠隔制御装置の試験器。
【請求項４】
請求項１に記載の開閉器遠隔制御装置の試験器において、
前記制御ユニットは、内部電源の停止を制御する操作レバーを備え、
前記第２の表示部は、前記操作レバーの位置に基づき前記内部電源を停止させるか否かを示す電源断信号を前記第２の出力信号として取り込み、前記電源断信号の状態を表示すること、
を特徴とする開閉器遠隔制御装置の試験器。
【請求項５】
請求項１に記載の開閉器遠隔制御装置の試験器において、
前記子局ユニットから前記制御ユニットに向けて出力される前記第１の出力信号を取り込み、前記制御ユニットに向けてそのまま出力する第１のモード、もしくは前記子局ユニットから前記制御ユニットに向けた前記第１の出力信号の出力を遮断させる第２のモードを設定するモード切替スイッチを備えたこと、
を特徴とする開閉器遠隔制御装置の試験器。
【請求項６】
請求項５に記載の開閉器遠隔制御装置の試験器において、
前記第２のモードが設定された場合に、前記親局から前記子局ユニットを介した前記制御ユニットに向けた前記開閉器の入指令及び切指令を模擬した指令を生成する模擬制御スイッチを備えたこと、
を特徴とする開閉器遠隔制御装置の試験器。
【発明の詳細な説明】
【技術分野】
【０００１】
本発明は、開閉器遠隔制御装置の試験器に関する
【背景技術】
【０００２】
図６を用いて電力会社が提供する配電系統の一例について説明する。尚、以下では、図６に示す配電用変電所Ａ側の構成を中心に説明する。
【０００３】
配電用変電所Ａに配設される変圧器１０ａの２次側には、複数の配電用遮断器（１１ａ、１１ｂ、１１ｃ・・・）が接続されている。複数の配電用遮断器（１１ａ、１１ｂ、１１ｃ・・・）夫々の負荷側には、樹枝状に配電線Ａが構築されている。
【０００４】
配電線Ａは、複数の常閉型の開閉器（１２ａ、１２ｂ、１２ｃ、１２ｄ・・・）によって、複数の区間＃ｎ（ｎ＝０、１、２、３、４・・・）に区分される。なお、配電線Ａにおける複数の区間＃ｎの少なくともいずれかの区間（図６の例では、区間＃２）では、その主幹線から分岐させた分岐線が敷設されており、その分岐線に配設された常開型の連系用開閉器１４を介して、他の配電用変電所Ｂの配電線Ｂとの連系が行われる。
【０００５】
ここで、配電線Ａの区間＃１に地絡または短絡等の事故が発生した場合とする。この場合、配電用遮断器１１ａが直ちに開放（初回遮断と呼ばれる）されて、事故区間＃１を含んだ配電線Ａ全体が停電となる。このとき、配電線Ａに配設される全ての開閉器（１２ａ、１２ｂ、１２ｃ、１２ｄ・・・）は、電源側（上流側）の電圧消失によって開放される。
【０００６】
そして、配電用変電所Ａでは、配電用遮断器１１ａの初回遮断から一定時間経過後、開放中の配電用遮断器１１ａを再投入（再閉路と呼ばれる。）する。この配電用遮断器１１ａの再投入に伴って、配電線Ａの試充電が開始され、未だ開放中にある開閉器（１２ａ、１２ｂ、１２ｃ、１２ｄ・・・）が、電源側から負荷側に向けて順々に時限投入される。
【０００７】
開閉器（１２ａ、１２ｂ、１２ｃ、１２ｄ・・・）の時限投入に伴って、事故区間＃１への送電が行われると、配電用遮断器１１ａは再び開放（再閉路失敗と呼ばれる。）されて配電線Ａ全体が再び停電となる。このとき、事故区間＃１の開閉器１２ａは以後開放状態へとロックされる。
【０００８】
なお、事故区間＃１の検出は、再閉路から再閉路失敗までの時間計測や、開閉器１２ａのロック状態検出等によって行われる。このように事故区間＃１の検出が行われると、その事故区間＃１よりも負荷側（下流側）の健全な停電区間＃２〜＃４に対して、系統連系可能な他の配電線Ｂから連系用開閉器１４を介した電力融通が行われる。この結果、事故区間＃１以外の健全区間＃２〜＃４に属する需要家に電力が供給されて一時的な復旧が完了する。
【０００９】
ところで、近年、以上のように配電線の事故区間を検出するための開閉器を営業所や支社等から遠隔監視制御する配電自動化システムが提案されている。この配電自動化システムの場合、開閉器毎に、営業所や支社等に設けられた親局ユニット（遠隔監視制御装置）との間で通信線を介した通信を行うための子局ユニット（遠隔監視制御装置）と、親局ユニットからの子局ユニットを介した指令によって開閉器を実際に投入又は開放させる制御を行う制御ユニットと、が設けられる。
【００１０】
図７に示すように、一般的に、子局ユニット１８２と制御ユニット１８４は、制御箱１８８の中に一体化させた開閉器遠隔制御装置１８として提供される。尚、図７Ａは開閉器遠隔制御装置１８としての制御箱１８８の斜視図を示した図であり、図７Ｂは制御箱１８８の内部構成を示した図である。
【００１１】
制御箱１８８は、例えば鉄箱で構成されており、その前面部の蓋を開けると子局ユニット１８２と制御ユニット１８４を収容可能な空隙が存在している。子局ユニット１８２と制御ユニット１８４は、その空隙に収容され且つケーブルを介して相互接続され、前面部の蓋が閉じられて保管される。
【００１２】
子局ユニット１８２の方では、その筐体の前面部に、親局ユニットとの間の通信線、開閉器１２の入切状態（入：閉じた状態、切：開いた状態）を開閉器１２からアンサーバックするための通信線、接地線等を接続するための端子台１８２３が設けられている。その筐体の前面部にある開口部１８２５から引き出されたケーブル１８２６の先端にはコネクタ１８２７が形成されている。
【００１３】
制御ユニット１８４の方では、その筐体の前面部に、変圧器３２からの電源線、開閉器１２を入切させるための制御線等を接続するための端子台１８４６と、開閉器１２との間のインタフェースとなるコネクタ１８４７と、子局ユニット１８２から引き回されたコネクタ１８２７が接続されるコネクタ１８４７と、を備えている。即ち、コネクタ１８２７とコネクタ１８４７を接続することで、子局ユニット１８２と制御ユニット１８４の相互接続が実施される。
【００１４】
図８は、図７に示した制御箱１８８として提供される開閉器遠隔制御装置１８が配電線を敷設する電柱１５に取り付けられたときの様子を示す図である。同図に示すように、開閉器１２、変圧器３２、そして、開閉器遠隔制御装置１８がそれぞれ装着金物を介して電柱１５に取り付けられている。
【００１５】
開閉器遠隔制御装置１８に障害が発生した場合には、その開閉器遠隔制御装置１８が取り付けられた電柱１５よりも遠方に所在する営業所や支社等では、前述した配電自動化システムを介して、その障害情報を入手して当該配電化自動システムの監視端末にその障害内容を表示することで、その障害の発生を検出することができる（例えば、以下に示す特許文献１を参照）。
【特許文献１】特開昭６３−７４３５６号公報
【発明の開示】
【発明が解決しようとする課題】
【００１６】
ところで、子局ユニットと制御ユニットを備えた開閉器遠隔制御装置が障害した場合、その現場よりも遠方に所在する営業所や支社等では開閉器遠隔制御装置自体に障害が発生したことは検出できるが、開閉器遠隔制御装置を構成する子局ユニットと制御ユニットのうちどちらが障害しているのか、若しくは両ユニットが障害しているのかが分からなかった。
【００１７】
このため、作業員は、現場に出向いて、例えば、子局ユニットと制御ユニットのうち一方のユニットをその代替ユニットに取り替えて実働試験を行い、それでもなお障害が継続するのであれば、他方のユニットをその代替ユニットに取り替えて再び実働試験を行うという改修作業の手順をとらざるを得なかった。即ち、１ユニットを取り替えては実働試験で障害が取り除けたか否かを確認しなければならなかったため、現場での改修作業にかなりの手間がかかっていた。
【００１８】
また、開閉器遠隔制御装置は配電線を敷設する電柱に取り付けられているので、開閉器遠隔制御装置の筐体である制御箱に子局ユニットと制御ユニットを固定するための取り付けビス等が落下する恐れがある点や、柱上で相当重量のユニットを代替ユニットに取り替える作業が困難である点が危惧されていた。そして、開閉器遠隔制御装置の取り付け状況如何によっては上記問題がより一層深刻化する恐れがあった。
【課題を解決するための手段】
【００１９】
前述した課題を解決する主たる本発明は、配電線に設けられた開閉器を親局から遠隔的に監視制御する際に当該親局との間で通信を行う子局ユニットと、前記親局から前記子局ユニットを介した前記開閉器の入切指令を受けて前記開閉器の開閉操作を行う制御ユニットと、を備えた開閉器遠隔制御装置を試験する際に、前記子局ユニットと前記制御ユニットの接続を切り離した上で、前記子局ユニットと前記制御ユニットとの間に接続させる開閉器遠隔制御装置の試験器であって、前記開閉器を前記親局から遠隔的に監視制御する際に前記子局ユニットから前記制御ユニットに向けて出力される第１の出力信号を取り込み、当該第１の出力信号の状態を表示する第１の表示部と、前記開閉器を前記親局から遠隔的に監視制御する際に前記制御ユニットから前記子局ユニットに向けて出力される第２の出力信号を取り込み、当該第２の出力信号の状態を表示する第２の表示部と、を備えることとする。
【発明の効果】
【００２０】
本発明によれば、開閉器遠隔制御装置に搭載される子局ユニットと制御ユニットそれぞれの障害検出を行える試験器を提供することができる。
【発明を実施するための最良の形態】
【００２１】
＝＝＝配電系統の全体構成例＝＝＝
図１は、本発明に係る試験器１８６の試験対象とする開閉器遠隔制御装置１８を含んだ配電系統の全体構成例を示した図である。尚、図６に示した従来の配電系統と同一の構成要素については同一の符号を付する。
【００２２】
電力会社の配電用変電所に配設される変圧器１０の２次側には、配電用遮断器１１が接続されている。配電用遮断器１１の負荷側には、樹枝状に配電線４００が構築されている。また、配電用変電所には、配電用遮断器１１の状態を配電自動化システム１００によって遠隔監視制御するための子局１７が配設されている。
【００２３】
子局１７は、配電用遮断器１１の投入又は開放の状態を示す信号を配電自動化システム１００の親局１０３に対して送信する機能と、配電自動化システム１００からの投入指令若しくは開放指令を受信して配電用遮断器１１の投入又は開放を制御する機能と、を有する。  
なお、配電用遮断器１１は、配電用変電所に一般的に配設される保護リレーによって、配電線４００の事故発生時に自動開放／自動投入が行われる実施形態であってもよい。
【００２４】
配電線４００は、常閉型の開閉器（１２ａ、１２ｂ・・・）によって、複数の区間＃ｎ（ｎ＝０、１、２・・・）に区分されている。また、開閉器１２ａ、１２ｂ・・・それぞれに、本発明に係る試験器１８６の試験対象とする開閉器遠隔制御装置（１８ａ、１８ｂ・・・）が配設されている。
【００２５】
開閉器遠隔制御装置（１８ａ、１８ｂ・・・）は、開閉器（１２ａ、１２ｂ・・・）の一次側及び／又は二次側に設けられた変圧器３２ａ、３２ｂから供給される電源電圧Ｖが印加されて動作可能となる。また、開閉器遠隔制御装置（１８ａ、１８ｂ・・・）は、子局ユニット（１８２ａ、１８２ｂ・・・）と、制御ユニット（１８４ａ、１８４ｂ・・・）と、を備える。
【００２６】
子局ユニット（１８２ａ、１８２ｂ・・・）は、開閉器（１２ａ、１２ｂ・・・）を親局１０３から遠隔的に監視制御する際に親局１０３との間で通信を行う。具体的には、開閉器（１２ａ、１２ｂ・・・）の入切状態を示す入切状態信号Ｓを配電自動化システム１００の親局１０３に対して送信する。尚、入状態とは開閉器（１２ａ、１２ｂ・・・）が閉じた状態であり、切状態とは開閉器（１２ａ、１２ｂ・・・）が開いた状態のことを指す。
【００２７】
制御ユニット（１８４ａ、１８４ｂ・・・）は、親局１０３から子局ユニット（１８２ａ、１８２ｂ・・・）を介した開閉器（１２ａ、１２ｂ・・・）の入指令又は切指令を受けて開閉器（１２ａ、１２ｂ・・・）の入切操作を行う。具体的には、配電自動化システム１００からの指令を受信して、開閉器１２a、１２ｂ・・・の電磁石を励磁させるための投入操作、投入後の入操作、切操作を制御する。尚、本実施形態の制御ユニット（１８４ａ、１８４ｂ・・・）は、後述のとおり再閉路時の時限投入用のタイマ１８４４を備えるタイプとするが、配電自動化システム１００による事故検出の完全自動化によりタイマ１８４４を備えないタイプであってもよい。
【００２８】
配電自動化システム１００は、電力会社の支社若しくは営業所に配設され、配電用サーバ１０１と、データベース１０４と、監視制御用端末１０２と、親局１０３と、が通信線１０５を介して相互に通信可能に接続されて構成される。
【００２９】
配電用サーバ１０１は、親局１０３において各子局（１７、１８ａ、１８ｂ・・・）より受信された情報や、データベース１０４に記憶されてある情報等に基づいて、配電自動化システム１００全体を統括制御する機能を有する。監視制御用端末１０２は、例えば、営業所の運転員が配電用サーバ１０１にデータを入力したり、配電用サーバ１０１から出力されたデータを表示したりする端末である。
【００３０】
親局１０３は、通信線２１０及び電力会社が管轄する通信網２００を介して、配電用変電所に設けられる子局１７や、配電線４００に設けられる開閉器遠隔制御装置（１８ａ、１８ｂ・・・）と相互に通信可能に接続される。なお、通信線２１０は、メタルの通信回線もしくは光通信線である。ここで、親局１０３は、各子局（１７、１８ａ、１８ｂ・・・）の被監視制御対象の配電用遮断器１１、開閉器（１２ａ、１２ｂ・・・）に対して投入指令、入指令、切指令を送信する機能等、を有する。
【００３１】
すなわち、配電自動化システム１００は、親局１０３と各子局（１７、１８ａ、１８ｂ・・・）との相互通信によって、配電用遮断器１１や開閉器（１２ａ、１２ｂ・・・）の各状態を遠隔的に監視制御するシステムを提供している。
【００３２】
また、配電自動化システム１００は、配電線４００の区間＃０、＃１、＃２・・・の中で地絡または短絡等の事故が発生した区間を検出するための制御を行う。具体的には、配電自動化システム１００は、事故が発生して配電用遮断器１１が遮断された後、当該事故に伴う電圧消失によって開放中の配電用遮断器１１を再投入（再閉路）する。そして、配電自動化システム１００は、開閉器（１２ａ、１２ｂ・・・）を電源側から負荷側に向けて順に時限投入する。
【００３３】
この時限投入していく過程で、事故区間に送電が行われると、配電用遮断器１１は再び開放（再閉路失敗）され、以後の再々閉路では、事故区間に対応した開閉器が切状態にロックされる。そこで、配電自動化システム１００は、配電用遮断器１１の再閉路から再閉路失敗までの時間計測や、開閉器１２ａ、１２ｂ・・・のロック状態検出等によって、配電線４００の事故区間の検出を行い、その後、所定の復旧作業を行う。
【００３４】
＝＝＝試験器の接続例＝＝＝
図２は、本発明に係る試験器１８６を試験対象の開閉器遠隔制御装置１８に搭載された子局ユニット１８２と制御ユニット１８４の間に接続した場合の接続図を示した図である。
【００３５】
以下では、試験器１８６の入出力端子の接続状況を中心に説明する。  
電源端子ＶＩｐ（＋側）、ＶＩｎ（−側）は、変圧器３２の二次側から取り出される電源電圧Ｖを制御ユニット１８４を介して試験器１８６に印加させるための端子である。電源端子ＶＯｐ（＋側）、ＶＯｎ（−側）は、電源端子ＶＩｐ、ＶＩｎに印加された電源電圧Ｖを試験器１８６を介して子局ユニット１８２に印加させるための端子である。
【００３６】
入力端子Ｉ１ｐ（＋側）、Ｉ１ｎ（−側）は、制御ユニット１８４のＡ接点１８４３の入切状態を示す電源断監視信号Ｍを試験器１８６に入力させるための端子である。尚、制御箱１８８の底面（図４参照）に設けられた制御ユニット１８４の内部電源の操作を行う操作レバー１８４２が切ロック位置に固定されているか否かによって、Ａ接点１８４３の開閉状態が制御される。
【００３７】
具体的には、操作レバー１８４２が切ロック位置に固定されていない場合、試験器１８６を含めて開閉器遠隔制御装置１８全体に電源電圧Ｖが供給され、Ａ接点１８４３が開いた状態となる。一方、操作レバー１８４２が切ロック位置に固定された場合、制御ユニット１８４の内部電源が停止し、Ａ接点１８４３が閉じた状態となる。尚、制御ユニット１８４の内部電源が停止すると、開閉器１２の電磁石への励磁がなくなり開閉器１２は切状態となる。
【００３８】
出力端子Ｏ１ｐ（＋側）、Ｏ１ｎ（−側）は、制御ユニット１８４から入力された電源断監視信号Ｍに呼応した電源断監視信号Ｍ’を、親局１０３による監視制御のために試験器１８６から子局ユニット１８２に向けて出力させるための端子である。
【００３９】
入力端子Ｉ２ｐ（＋側）、Ｉ２ｎ（−側）は、子局ユニット１８２のＡ接点１８２１の開閉状態を示す投入制御信号Ｐを試験器１８６に入力させるための端子である。尚、Ａ接点１８２１が開いた状態の場合、投入制御信号Ｐは、親局１０３から子局ユニット１８２に向けて開閉器１２の投入指令が出力されていないことを現している。また、Ａ接点１８２１が閉じた状態の場合、投入制御信号Ｐは、親局１０３から子局ユニット１８２に向けた開閉器１２の投入指令を現している。尚、開閉器１２の投入指令が必要となる理由は、開閉器１２を閉じることが可能な吸引力が得られるまで開閉器１２の電磁石を予め励磁させておく必要があるからである。
【００４０】
出力端子Ｏ２ｐ（＋側）、Ｏ２ｎ（−側）は、子局ユニット１８２から入力された投入制御信号Ｐに呼応した投入制御信号Ｐ’を、開閉器１２の電磁石を励磁させるために試験器１８６から制御ユニット１８４に向けて出力させるための端子である。
【００４１】
尚、本実施形態では、制御ユニット１８４は時限投入用のタイマ１８４４を設けるタイプであり、制御ユニット１８４は投入制御信号Ｐ’により時限投入用のタイマ１８４４をセットする。これにより、タイマ１８４４に設定された時間分、開閉器１２の投入が遅延する。
【００４２】
また、制御ユニット１８４は変圧器３２から電源電圧Ｖが供給されているか否かを監視している。そして、制御ユニット１８４は、開閉器１２を投入した後からタイマ１８４４に別に設定された時間の間において、変圧器３２から電源電圧Ｖが供給されていないことを検出した場合、再閉路失敗として開閉器１２を開放させる。
【００４３】
入力端子Ｉ３ｐ（＋側）、Ｉ３ｎ（−側）は、子局ユニット１８２のＡ接点１８２２の開閉状態に応じた入切制御信号Ｃを試験器１８６に入力させるための端子である。尚、Ａ接点１８２２が開いた状態のときの入切制御信号Ｃは、親局１０３から子局ユニット１８２に向けて開閉器１２の切指令が出ていることを現している。また、Ａ接点１８２２が閉じた状態のときの入切制御信号Ｃは、親局１０３から子局ユニット１８２に向けて開閉器１２の入指令が出ていることを現している。
【００４４】
出力端子Ｏ３ｐ（＋側）、Ｏ３ｎ（−側）は、子局ユニット１８２から入力された入切制御信号Ｃに応じた入切制御信号Ｃ’を、開閉器１２を実際に入切するために試験器１８６から制御ユニット１８４に向けて出力させるための端子である。尚、制御ユニット１８４は、試験器１８６から入力された入切制御信号Ｃ’により制御されるＡ接点１８４５の開閉状態に基づいて、開閉器１２の電磁石への励磁電圧を開閉器１２に供給する。尚、Ａ接点１８４５が開いた状態の場合には開閉器１２が切状態となり、Ａ接点１８４５が閉じた状態の場合には開閉器１２の電磁石が励磁され開閉器１２が入状態となる。この入切制御信号Ｃ’に基づいた開閉器１２の入切状態を示す入切状態信号Ｓは、子局ユニット１８２を介して親局１０３へ送信される。
【００４５】
＝＝＝試験器の外観例＝＝＝
図３は、試験器１８６の外観例を示す図である。  
試験器１８６は、箱型ケースに所定の機能を具現化したシーケンス回路が内蔵されて構成される。
【００４６】
試験器１８６は、子局ユニット１８２との間の信号ケーブル７１を集約させて子局ユニット１８２とのインタフェースとなるコネクタ７０と、制御ユニット１８４との間の信号ケーブル７３を集約させて制御ユニット１８４とのインタフェースとなるコネクタ７２と、を備える。
【００４７】
コネクタ７０、７２を介して子局ユニット１８２と制御ユニット１８４との間に試験器１８６を接続した場合の様子を図４に示す。尚、説明の都合上、図４に示した子局ユニット１８２と制御ユニット１８４の構造は、図７Ｂに示したそれらの構造と同一であり、同一の構成については同一の符号を付している。図４に示すように、子局ユニット１８２から引き出されたコネクタ１８２７は、制御ユニット１８４の子局ユニット１８２向けのコネクタ１８４８とは接続せずに、試験器１８６の子局ユニット１８２向けのコネクタ７０と接続する。そして、制御ユニット１８４のコネクタ１８４８には試験器１８６の制御ユニット１８４向けのコネクタ７２と接続する。これにより、子局ユニット１８２と制御ユニット１８４はケーブルを介して相互接続される。
【００４８】
また、試験器１８６の箱型ケースの前面には、投入表示灯６１、入表示灯６２、切表示灯６３、電源表示灯６４、電源断表示灯６５、模擬制御状態表示灯６６が備えられる。また、試験器１８６の箱型ケースの前面には、実働モードと模擬モードのいずれかに設定するためのモード切替スイッチ６７、  模擬モードの場合に使用される入制御スイッチ６８並びに切制御スイッチ６９と、が備えられる。
【００４９】
投入表示灯６１、入表示灯６２、切表示灯６３は、開閉器１２を親局１０３から遠隔的に監視制御する際に子局ユニット１８２から制御ユニット１８４に向けて出力される制御信号（第１の出力信号）を取り込んで、その制御信号の状態を監視するための表示灯である。即ち、投入表示灯６１、入表示灯６２、切表示灯６３は、子局ユニット１８２又は試験器１８６から制御ユニット１８４に向けた働きかけが正常に行われたか否かを監視する役割を担っている。尚、投入表示灯６１は実働モードと模擬モードで共用され、入表示灯６２と切表示灯６３は子局ユニット１８２からの制御信号の状態表示専用として、即ち実働モードのみで用いられる。
【００５０】
投入表示灯６１は、親局１０３から子局ユニット１８２に向けて開閉器１２の投入指令が出力されたことを確認するため、若しくは、模擬モードの際に試験器１８６から開閉器１２に向けて入指令と同時に投入指令が出力されたことを確認するための表示灯である。具体的には、試験器１８６が子局ユニット１８２から投入制御信号Ｐを受信したとき、若しくは、模擬モードの際に試験器１８６から開閉器１２に向けて入指令と同時に投入指令が出力されたとき、投入表示灯６１は点灯する。そして、点灯開始から所定時間経過して投入指令が消滅したとき、投入表示灯６１は消灯する。
【００５１】
入表示灯６２は、親局１０３から子局ユニット１８２に向けて開閉器１２の入指令が出力されたことを確認するために設けられた表示灯である。具体的には、投入表示灯６１が点灯してから所定時間経過後に投入指令が消滅することによって投入表示灯６１が消灯した後、親局１０３からの入指令に呼応して開閉器１２を入操作させるための入切制御信号Ｃが子局ユニット１８２から出力された場合、入表示灯６２は点灯し続ける。
【００５２】
切表示灯６３は、親局１０３から子局ユニット１８２に向けて開閉器１２の切指令が出力されたことを確認するための表示灯である。具体的には、親局１０３からの切指令に呼応して開閉器１２を開放させるための入切制御信号Ｃが子局ユニット１８２から出力された場合、切表示灯６３は点灯し続ける。
【００５３】
電源表示灯６４は、配電線４００から変圧器３２を介して制御ユニット１８４から子局ユニット１８２に向けて電源電圧Ｖが供給されたことを確認するための表示灯である。尚、制御箱１８８の底面に設けられた操作レバー１８４２が切ロック位置に固定されている場合であっても、変圧器３２から制御ユニット１８４、試験器１８６、そして子局ユニット１８２に至る電源電圧Ｖの供給は停止されないため、電源表示灯６４は点灯することができる。
【００５４】
電源断表示灯６５は、開閉器１２を親局１０３から遠隔的に監視制御する際に、制御ユニット１８４から子局ユニット１８２に向けて出力される制御信号（第２の出力信号）を取り込んで、その制御信号の状態を監視する表示灯である。即ち、電源断表示灯６５は、制御ユニット１８４から子局ユニット１８２に向けた働きかけが正常に行われたか否かを監視する役割を担っている。電源断表示灯６５は、操作レバー１８４２が切ロック位置に固定されたことを確認するために設けられる。尚、電源表示灯６４と同様の理由によって、操作レバー１８４２が切ロック位置に固定されている場合であっても、電源電圧Ｖの供給は停止されないため、電源断表示灯６５は点灯することができる。
【００５５】
模擬制御状態表示灯６６は、模擬モードでの制御出力状態を表示するものである。例えば、赤色と緑色の２色ＬＥＤ灯で実現されており、模擬モードで入制御スイッチ６８が押下された場合には赤色で点灯し、模擬モードで切制御スイッチ６９が押下された場合には緑色で点灯する。尚、模擬制御状態表示灯６６は、モード切替に関係なく、赤色又は緑色で常時点灯する仕様とする。
【００５６】
モード切替スイッチ６７は、試験器１８６を実動モード又は模擬モードのいずれかに設定するためのスイッチである。モード切替スイッチ６７は、例えば、後述のトグルスイッチＳＷ１ａ、ＳＷ１ｂで実現される。
【００５７】
尚、実働モードとは、子局ユニット１８２と制御ユニット１８４との間に試験器１８６を接続した状態であっても、親局１０３からの指令が子局ユニット１８２、試験器１８６を介して制御ユニット１８４にそのまま入力される試験モードである。即ち、実働モードが設定されている場合、投入表示灯６１、入表示灯６２、切表示灯６３の表示を監視して、子局ユニット１８２の動作を検証することができる。
【００５８】
また、模擬モードとは、子局ユニット１８２から制御ユニット１８４に向けての出力が切り離され、試験器１８６を模擬の子局ユニット１８２として動作させる試験モードである。即ち、模擬モードが設定されている場合、子局ユニット１８２から制御ユニット１８４に向けた出力が切り離されているので、制御ユニット１８４を介して開閉器１２を実働させずに、入表示灯６２、切表示灯６３を監視して、親局１０３からの指令が子局ユニット１８２に届いたか否かを検証することもできる。
【００５９】
入制御スイッチ６８は、模擬モードが設定されている場合に、子局ユニット１８２に代替して、開閉器１２を入状態とするための入指令を模擬した入切制御信号Ｃ’を、試験器１８６から制御ユニット１８４に向けて出力させるためのスイッチである。入制御スイッチ６８は、例えば、後述の押しボタンスイッチＳＷ２ａ、ＳＷ２ｂによって実現される。
【００６０】
切制御スイッチ６９は、模擬モードが設定されている場合に、子局ユニット１８２に代替して、開閉器１２を切状態とするための切指令を模擬した入切制御信号Ｃ’を、試験器１８６から制御ユニット１８４に向けて出力させるためのスイッチである。切制御スイッチ６９は、例えば、後述の押しボタンスイッチＳＷ３ａ、ＳＷ３ｂによって実現される。
【００６１】
尚、試験器１８６は、制御ユニット１８４からコネクタ７２を取り外して無電源状態となっても、入制御スイッチ６８又は切制御スイッチ６９による最終の模擬制御の状態が「入」又は「切」であるかを記憶する仕様とする。
【００６２】
＝＝＝試験器の内部構成例＝＝＝
図５は、試験器１８６の内部のシーケンス回路構成例を示した図である。  
電源ユニット１８６０は、制御ユニット１８４から電源端子ＶＩｐ、ＶＩｎを介して印加された電源電圧Ｖを試験器１８６の動作電圧として試験器１８６全体に供給するものである。電源端子ＶＩｐ、ＶＩｎに印加された電源電圧Ｖは、電源端子ＶＯｐ、ＶＯｎよりそのまま外部供給可能となる。
【００６３】
電源監視部１８６１は、電源表示灯６４の発光ダイオードＤ１と、そのアノード側に接続した抵抗素子Ｒと、から成る直列接続体として構成される。当該直列接続体に対し、電源ユニット１８６０からの電源電圧Ｖが印加されると、発光ダイオードＤ１が点灯する。即ち、発光ダイオードＤ１が点灯することで、制御ユニット１８４から電源電圧Ｖが試験器１８６に印加されたことが確認される。
【００６４】
電源断監視部１８６２は、端子ＶＩｎ、Ｉ１ｎ間に設けられ、制御ユニット１８４から入力端子Ｉ１ｐ、Ｉ１ｎを介して入力される電源断監視信号Ｍに基づき動作するリレーＲｙ−１と、リレーＲｙ−１によって開閉するＡ接点ＣＴ１、ＣＴ２と、Ａ接点ＣＴ１の電源側に設けられる抵抗素子Ｒと、Ａ接点ＣＴ１の接地側に設けられる電源断表示灯６５の発光ダイオードＤ２と、により構成される。
【００６５】
電源断監視信号Ｍが操作レバー１８４２が切ロック位置に固定されたことを示す場合、リレーＲｙ−１が動作する。この結果、Ａ接点ＣＴ１が閉じて発光ダイオードＤ２が点灯する。即ち、発光ダイオードＤ２が点灯することで、操作レバー１８４２が切ロック位置に固定されたことが確認される。また、リレーＲｙ−１が動作すると、Ａ接点ＣＴ２が閉じて、出力端子Ｏ１ｐ、Ｏ１ｎより電源断監視信号Ｍに呼応した電源断監視信号Ｍ’が出力される。
【００６６】
投入監視制御部１８６３は、モード切替スイッチ６７と連動したトグルスイッチＳＷ１ａの出力と接地間に接続され、子局ユニット１８２から入力端子Ｉ２ｐ、Ｉ２ｎを介して入力される投入制御信号Ｐに基づき動作するリレーＲｙ−２と、リレーＲｙ−２と並列接続される回生ダイオードＤ７と、リレーＲｙ−２によって開閉するＡ接点ＣＴ３、ＣＴ４と、Ａ接点ＣＴ３の電源側に設けられる抵抗素子Ｒ３と、Ａ接点ＣＴ３の接地側に設けられる投入表示灯６１の発光ダイオードＤ３と、により構成される。尚、トグルスイッチＳＷ１ａの実働モード側の入力端子は入力端子Ｉ２ｎと接続され、模擬モード側の入力端子は後述の押しボタンスイッチＳＷ２ａのＯＮ側の出力端子と接続される。
【００６７】
モード切替スイッチ６７に連動してトグルスイッチＳＷ１ａによって実働モードが設定された状態で、投入制御信号Ｐが投入指令を現す場合、リレーＲｙ−２が１秒間動作する。この結果、Ａ接点ＣＴ３が閉じて発光ダイオードＤ３が点灯する。即ち、発光ダイオードＤ３が点灯することで、子局ユニット１８２から投入指令を受けたことが確認できる。また、リレーＲｙ−２が動作するとき、Ａ接点ＣＴ４が閉じて、出力端子Ｏ２ｐ、Ｏ２ｎより当該投入制御信号Ｐに呼応した投入制御信号Ｐ’が出力される。
【００６８】
モード切替スイッチ６７に連動したトグルスイッチＳＷ１ｂによって模擬モードが設定される場合については後述する。
【００６９】
開閉監視制御部１８６４は、端子ＶＯｐ、Ｉ３ｎ間に設けられ、子局ユニット１８２から入力端子Ｉ３ｐ、Ｉ３ｎを介して入力される入切制御信号Ｃに基づき動作するリレーＲｙ−３と、リレーＲｙ−３によって動作するＡ接点とＢ接点で構成されるＣ接点ＣＴ５と、モード切替スイッチ６７と連動したトグルスイッチＳＷ１ｂの実働モード側の入力端子と端子Ｏ３ｎ間に設けられて同じくリレーＲｙ−３によって動作するＡ接点ＣＴ６と、Ｃ接点ＣＴ５の端子Ｉ２Ｐ側に設けられる抵抗素子Ｒ４と、Ｃ接点ＣＴ５のうちＡ接点の接地側に設けられる入表示灯６２の発光ダイオードＤ４と、Ｃ接点ＣＴ５のうちＢ接点の接地側に設けられる切表示灯６３の発光ダイオードＤ５と、によって構成される。
【００７０】
入指令を示す入切制御信号Ｃが入力された場合、リレーＲｙ−３が動作する。この結果、Ｃ接点ＣＴ５のうちＡ接点が閉じて発光ダイオードＤ４が点灯する。一方、切指令を示す入切制御信号Ｃが入力された場合、リレーＲｙ−３は停止し、Ｃ接点ＣＴ５のうちＢ接点が閉じて発光ダイオードＤ５が点灯する。即ち、発光ダイオードＤ４、Ｄ５の点灯状態によって、子局ユニット１８２から入指令又は切指令を受けたことが確認できる。
【００７１】
また、入指令を示す入切制御信号Ｃが入力された場合、リレーＲｙ−３が動作し、Ａ接点ＣＴ６は閉じる。一方、切指令を示す入切制御信号Ｃが入力された場合、リレーＲｙ−３が停止し、Ａ接点ＣＴ６は開く。即ち、モード切替スイッチ６７に連動してトグルスイッチＳＷ１ｂによって実働モードが設定される場合、入切制御信号Ｃに応じたＡ接点ＣＴ６の開閉状態を表した入切制御信号Ｃ’が、出力端子Ｏ３ｐ、Ｏ３ｎより出力される。
【００７２】
尚、モード切替スイッチ６７に連動してトグルスイッチＳＷ１ｂによって模擬モードが設定される場合については後述する。
【００７３】
模擬監視制御部１８６５は、入制御スイッチ６８に連動した押しボタンスイッチＳＷ２ａ、ＳＷ２ｂと、入力側を接地させる押しボタンスイッチＳＷ２ａ、ＳＷ２ｂの各入力端子の間に設けられた電界コンデンサＥＣと、押しボタンスイッチＳＷ２ａのＯＦＦ側の出力端子と端子Ｉ２Ｐの間に設けられた逆流防止ダイオードＤ８と、押しボタンスイッチＳＷ２ｂのＯＮ側の出力端子に接続される抵抗素子Ｒ５と、逆流防止ダイオードＤ８と抵抗素子Ｒ５の間に接続されＡ接点ＣＴ７、ＣＴ８を閉じるためのリレーＲｙ−４と、リレーＲｙ−４に並列接続される回生ダイオードＤ９と、トグルスイッチＳＷ１ｂの模擬モード側の入力端子と端子Ｏ３ｎの間に設けられリレーＲｙ−４によって閉じられるＡ接点ＣＴ７と、を備える。尚、押しボタンスイッチＳＷ２ａのＯＮ側の出力端子は、前述したとおり、トグルスイッチＳＷ１ａの模擬モード側の入力端子と接続されている。また、Ａ接点ＣＴ７とＡ接点ＣＴ６の接続点より端子Ｏ３ｎが引き出される。
【００７４】
また、模擬監視制御部１８６５は、切制御スイッチ６９に連動した押しボタンスイッチＳＷ３ａ、ＳＷ３ｂと、押しボタンスイッチＳＷ３ｂのＯＮ側の出力端子に接続される抵抗素子Ｒ６と、逆流防止ダイオードＤ８と抵抗素子Ｒ６の間に接続されＡ接点ＣＴ７、ＣＴ８を開くためのリレーＲｙ−５と、リレーＲｙ−５に並列接続される回生ダイオードＤ１０と、を備える。尚、リレーＲｙ−４、Ｒｙ−５及びＡ接点ＣＴ７、ＣＴ８は、一体のリレーを構成するものである。Ａ接点ＣＴ７、ＣＴ８を閉じるためにはリレーＲｙ−４を励磁し、Ａ接点ＣＴ７、ＣＴ８を開くためにはリレーＲｙ−５を励磁する。
【００７５】
さらに、模擬監視制御部１８６５は、リレーＲｙ−５によって開かれるＡ接点ＣＴ８と、Ａ接点ＣＴ８の両端子に設けられた抵抗素子Ｒ７、Ｒ８と、Ａ接点ＣＴ８の接地側に設けられた模擬制御状態表示灯６６の発光ダイオードＤ１１（模擬モードで入指令時に赤色が点灯）と、抵抗素子Ｒ８を介したＡ接点ＣＴ８の接地側の電位がベース入力となるＮＰＮ型トランジスタＢ１と、ＮＰＮ型トランジスタＢ１のコレクタをベースに接続させるＮＰＮ型トランジスタＢ２と、ＮＰＮ型トランジスタＢ２のベース、コレクタにそれぞれ接続される抵抗素子Ｒ９、Ｒ１０と、ＮＰＮ型トランジスタＢ２のエミッタと接続される模擬制御状態表示灯６６の発光ダイオードＤ６（模擬モードで切指令時に緑色が点灯）と、を備える。
【００７６】
モード切替スイッチ６７と連動してトグルスイッチＳＷ１ａによって模擬モードが設定された状態で、入制御スイッチ６８と連動して押しボタンスイッチＳＷ２ａ、ＳＷ２ｂがＯＮ側の端子を選択した場合、電界コンデンサＥＣの充電電圧によってリレーＲｙ−２が動作し、Ａ接点ＣＴ３が閉じて、投入表示灯６１の発光ダイオードＤ３が例えば１秒間点灯する。
【００７７】
また、この場合、リレーＲｙ−４が動作し、Ａ接点ＣＴ７、ＣＴ８が閉じる。この結果、出力端子Ｏ３ｐ、Ｏ３ｎより模擬モードの場合の開閉器１２の入指令を示す入切制御信号Ｃ’が出力される。尚、Ａ接点ＣＴ８が閉じているため、発光ダイオードＤ１１が赤色に点灯し且つ発光ダイオードＤ６は消灯となる。即ち、模擬制御状態表示灯６６は、発光ダイオードＤ１１の赤色で点灯することになる。
【００７８】
一方、模擬モードが設定された状態で、押しボタンスイッチＳＷ２ａ、ＳＷ２ｂがＯＦＦ側の端子を選択した場合、リレーＲｙ−４は停止する。但し、リレーＲｙ−４が停止しても、Ａ接点ＣＴ７、ＣＴ８は閉じた状態を継続する。
【００７９】
また、模擬モードが設定された状態で、切制御スイッチ６９と連動して押しボタンスイッチＳＷ３ａ、ＳＷ３ｂがＯＮ側の出力端子を選択した場合、リセット用のリレーＲｙ−５が動作し、Ａ接点ＣＴ７、ＣＴ８を開く。この結果、発光ダイオードＤ６が緑色に点灯し且つ発光ダイオードＤ１１が消灯する。即ち、模擬制御状態表示灯６６は、発光ダイオードＤ６の緑色で点灯することになる。
【００８０】
一方、模擬モードが設定された状態で、押しボタンスイッチＳＷ３ａ、ＳＷ３ｂがＯＦＦ側の出力端子を選択した場合、リレーＲｙ−５は停止する。但し、リレーＲｙ−５が停止しても、Ａ接点ＣＴ７、ＣＴ８は開いた状態を継続する。
【００８１】
以上のように、発光ダイオードＤ６、Ｄ１１の点灯状態によって、模擬モードの場合の制御内容を確認できる。
【００８２】
＝＝＝試験器の使用例＝＝＝
以下では、監視制御用端末１０２の方で開閉器遠隔制御装置１８の障害が確認されたことを受けて、作業員が、その障害した開閉器遠隔制御装置１８が装着された電柱１５の所在地に出向いて、その障害した開閉器遠隔制御装置１８の改修作業にあたる場合を例に挙げて説明する。
【００８３】
まず、作業員は、制御箱１８８（障害発生した開閉器遠隔制御装置１８）の前面部の蓋を開けて、子局ユニット１８２のコネクタ１８２７と制御ユニット１８４のコネクタ１８４８の接続を切り離す。そして、試験器１８６のコネクタ７０を子局ユニット１８２のコネクタ１８２７に接続するとともに、試験器１８６のコネクタ７２を制御ユニット１８４のコネクタ１８４８に接続する。
【００８４】
つぎに、作業員は、子局ユニット１８２又は制御ユニット１８４のどちらに障害が発生したのか、それとも両ユニットに障害が発生したのか分からないので、まずは、子局ユニット１８２に障害が発生したのか否かを確認するために、試験器１８６のモード切替スイッチ６７を実働モード側に押し上げて、試験器１８６を実働モードに設定する。
【００８５】
そして、作業員は、親局１０３から子局ユニット１８２に向けて開閉器１２の投入指令を送信する連絡を受けて、試験器１８６の投入表示灯６１が所定の１秒間点灯するか否かを確認する。投入表示灯６１が所定の１秒間点灯しなければ、子局ユニット１８２の投入指令関連の障害と判断できる。
【００８６】
また、作業員は、試験器１８６の入表示灯６２又は切表示灯６３が点灯するか否かを確認する。入表示灯６２又は切表示灯６３が親局１０３からの指令に応じて点灯しなければ、子局ユニット１８２の入切指令関連の障害と判断できる。
【００８７】
以上により、子局ユニット１８２の障害が確認されれば、その代替ユニットに置き換える。そして、作業員は、上記と同様の試験を行い、監視制御用端末１０２の方で開閉器遠隔制御装置１８の障害が取り除かれたことが確認されたことを受けて、開閉器遠隔制御装置１８の改修作業を終了する。
【００８８】
若しくは、子局ユニット１８２を代替ユニットに置き換えても監視制御用端末１０２の方で開閉器遠隔制御装置１８の障害が確認された場合、制御ユニット１８４の方も同時に障害が発生していることになるので、制御ユニット１８４を代替ユニットに置き換える。そして、作業員は、上記と同様の試験を行い、監視制御用端末１０２の方で開閉器遠隔制御装置１８の障害が取り除かれたことが確認されたことを受けて、開閉器遠隔制御装置１８の改修作業を終了する。
【００８９】
一方、子局ユニット１８２の確認よりも先に制御ユニット１８２に障害が発生したのか否かを確認する場合には、作業員は、試験器１８６のモード切替スイッチ６７を模擬モード側に切り替えて、試験器１８６を模擬モードに設定する。
【００９０】
そして、作業員は、制御箱１８８の底面にある操作レバー１８４２を切ロック位置に固定して、電源断表示灯６５が点灯するか否かを確認する。電源断表示灯６５が点灯しなければ、制御ユニット１８４の電源断表示関連の障害と判断できる。
【００９１】
また、作業員は、入制御スイッチ６８、切制御スイッチ６９を順に押下して、開閉器１２が入切するか否かを確認する。開閉器１２が入切しなければ、制御ユニット１８４の開閉器１２の入切操作関連の障害と判断できる。
【００９２】
以上により、制御ユニット１８４の障害が確認されれば、その代替ユニットに置き換える。そして、作業員は、上記と同様の試験を行い、監視制御用端末１０２の方で開閉器遠隔制御装置１８の障害が取り除かれたことが確認されたことを受けて、開閉器遠隔制御装置１８の改修作業を終了する。
【００９３】
若しくは、制御ユニット１８４を代替ユニットに置き換えても監視制御用端末１０２の方で開閉器遠隔制御装置１８の障害が確認された場合、子局ユニット１８２の方も同時に障害が発生していることになるので、子局ユニット１８２を代替ユニットに置き換える。そして、作業員は、上記と同様の試験を行い、監視制御用端末１０２の方で開閉器遠隔制御装置１８の障害が取り除かれたことが確認されたことを受けて、開閉器遠隔制御装置１８の改修作業を終了する。
【００９４】
以上、本実施の形態について説明したが、前述した実施例は、本発明の理解を容易にするためのものであり、本発明を限定して解釈するためのものではない。本発明は、その趣旨を逸脱することなく、変更／改良され得るととともに、本発明にはその等価物も含まれる。
【００９５】
例えば、工場出荷前の試験や倉庫に保管された状態での定期検査に試験器１８６が使用される場合であってもよい。尚、この場合、子局ユニット１８２と制御ユニット１８４間の接続が切り離された状態で、試験器１８６を試験対象の制御ユニット１８４に接続する。ここで、試験器１８６は子局ユニット１８２を模擬する模擬モードを備えているため、制御ユニット１８４に開閉器１２を模擬したテスト治具を用意することで、制御ユニット１８４の単体試験を行うことができる。
【図面の簡単な説明】
【００９６】
【図１】本発明の一実施形態に係る試験器の試験対象とする開閉器遠隔制御装置を含んだ配電系統の全体構成例を示す図である。
【図２】本発明の一実施形態に係る試験器を開閉器遠隔制御装置の子局ユニットと制御ユニットの間に接続した場合の接続図を示す図である。
【図３】本発明の一実施形態に係る試験器の外観を示す図である。
【図４】本発明の一実施形態に係る試験器をコネクタを介して子局ユニットと制御ユニットとの間に接続した場合の様子を示す図である。
【図５】本発明の一実施形態に係る試験器内部のシーケンス回路構成を示す図である。
【図６】配電系統の一例を示す図である。
【図７Ａ】本発明の一実施形態に係る開閉器遠隔制御装置の斜視図である。
【図７Ｂ】本発明の一実施形態に係る開閉器遠隔制御装置の前面部の蓋を開けた状態を示す図である。
【図８】本発明の一実施形態に係る開閉器遠隔制御装置が電柱に装着されたときの様子を示す図である。
【符号の説明】
【００９７】
１０、１０ａ、１０ｂ  変圧器
１１、１１ａ〜１１ｆ  配電用遮断器
１２、１２ａ〜１２ｈ  開閉器
１４  連系用開閉器
１７  子局
１８、１８ａ、１８ｂ  開閉器遠隔制御装置
１８２、１８２ａ、１８２ｂ  子局ユニット
１８２１、１８２２  Ａ接点
１８２３  端子台
１８２６  ケーブル
１８２５  開口部
１８２７  コネクタ
１８４、１８４ａ、１８４ｂ  制御ユニット
１８４２  操作レバー
１８４３、１８４５  Ａ接点
１８４４  タイマ
１８４６  端子台
１８４７  コネクタ
１８４８  コネクタ
１８６  試験器
１８８  制御箱
３２ａ、３２ｂ  変圧器
６１  投入表示灯
６２  入表示灯
６３  切表示灯
６４  電源表示灯
６５  電源断表示灯
６６  模擬制御状態表示灯
６７  モード切替スイッチ
６８  入制御スイッチ
６９  切制御スイッチ
７０、７２  コネクタ
７１、７３  ケーブル
１００  配電自動化システム
１０１  配電用サーバ
１０２  監視制御用端末
１０３  親局
１０４  データベース
１０５  通信線
２００  通信網
２１０  通信線
【図１】
2009141621.tif 000003
【図２】
2009141621.tif 000004
【図３】
2009141621.tif 000005
【図４】
2009141621.tif 000006
【図５】
2009141621.tif 000007
【図６】
2009141621.tif 000008
【図７Ａ】
2009141621.tif 000009
【図７Ｂ】
2009141621.tif 000010
【図８】
2009141621.tif 000011